(57)【要約】【課題】  正確な目視整合を提供し、視差を防止して射撃精度を向上させる。【解決手段】  接眼レンズ部（６）、対物レンズ部（４）、レチクル（１０）およびレチクルから軸方向に離れており、使用中に射撃手が見ることができる１以上のマーキング（２２ａ、２２ｂ）を備えた整合装置（２０）を含んだライフルスコープ。整合装置（２０）は、正確な目視整合状態ではマーキング（２２ａ、２２ｂ）がレチクル（１０）と整合状態に見え、不正確な目視整合状態ではマーキングがレチクルと非整合状態に見えるように設計されている。レチクルは十字線を含み、整合装置のマーキングは使用時に前記十字線と整合できる四分円マーキングを含むこともできる。【選択図】  図１
2009520945.tif 000002
【特許請求の範囲】
【請求項１】
ライフルスコープであって、接眼レンズ部、対物レンズ部、レチクルおよび前記接眼レンズ部に隣接して本スコープの外部に取り付けられた整合装置を含んでおり、該整合装置は、使用中に射撃手が見ることができるように前記接眼レンズ部周囲に配置された１以上のマーキングを有しており、前記整合装置は、正確な目視整合状態では前記マーキングが前記レチクルと整合状態に見え、不正確な目視整合状態では前記マーキングが前記レチクルと非整合状態に見えるように設計されていることを特徴とするライフルスコープ。
【請求項２】
レチクルは十字線を含み、整合装置のマーキングは使用時に前記十字線と整合できる四分円マーキングを含んでいることを特徴とする請求項１記載のライフルスコープ。
【請求項３】
マーキングは接眼レンズ部の周囲から内側に延び、スコープの射出瞳と重なることを特徴とする請求項１または２記載のライフルスコープ。
【請求項４】
整合装置は第１マーキングから角度がずれた１以上の別マーキングを有しており、該別マーキングをレチクルと整合させるように回転することを特徴とする請求項１から３のいずれか１項に記載のライフルスコープ。
【請求項５】
マーキングおよび別マーキングは異なる視認特性を有していることを特徴とする請求項４記載のライフルスコープ。
【請求項６】
整合装置は接眼レンズ部の自由端に着脱式に取り付けられることを特徴とする請求項１から５のいずれか１項に記載のライフルスコープ。
【請求項７】
整合装置は、マーキングを有し、接眼レンズ部の自由端に取り付けられているリングを含んでいることを特徴とする請求項１から６のいずれか１項に記載のライフルスコープ。
【請求項８】
整合装置はスコープが使用されていないときに接眼レンズ部を覆うカバー要素を含んでいることを特徴とする請求項１から７のいずれか１項に記載のライフルスコープ。
【請求項９】
カバー要素はヒンジ式であることを特徴とする請求項８記載のライフルスコープ。
【請求項１０】
ライフルスコープ用の整合装置であって、接眼レンズ部、対物レンズ部およびレチクルを含んでおり、本整合装置は前記接眼レンズ部に隣接して前記スコープの外側に取り付けられるように設計されており、使用中の射撃手の視野に入るように前記接眼レンズ部周囲に配置された１以上のマーキングを有しており、本整合装置は、正確な目視整合状態では前記マーキングが前記レチクルと整合状態に見え、不正確な目視整合状態では前記マーキングが前記レチクルと非整合状態に見えるよう設計されていることを特徴とする整合装置。
【請求項１１】
マーキングは使用中にレチクルの十字線と整合できる四分円マーキングを含んでいることを特徴とする請求項１０記載の整合装置。
【請求項１２】
マーキングは使用中にスコープの射出瞳と重なるように内側に延びていることを特徴とする請求項１０または１１記載の整合装置。
【請求項１３】
第１マーキングから角度がずれた１以上の別マーキングを有しており、使用中に回転して前記別マーキングをレチクルと整合させることを特徴とする請求項１０から１２のいずれか１項に記載の整合装置。
【請求項１４】
マーキングおよび別マーキングは異なる視認特性を有していることを特徴とする請求項１３記載の整合装置。
【請求項１５】
整合装置は接眼レンズ部の自由端に着脱式に取り付けられるように設計されていることを特徴とする請求項１０から１４のいずれか１項に記載の整合装置。
【請求項１６】
整合装置はマーキングを有し、接眼レンズ部の自由端に取り付けられるように設計されたリングを含んでいることを特徴とする請求項１５記載の整合装置。
【請求項１７】
スコープの非使用時に接眼レンズ部を覆うカバー要素を含んでいることを特徴とする請求項１０から１６のいずれか１項に記載の整合装置。
【請求項１８】
カバー要素はヒンジ式であることを特徴とする請求項１７記載の整合装置。
【発明の詳細な説明】
【技術分野】
【０００１】
本発明はライフルスコープに関する。すなわちライフル銃並びに他の銃器用のテレスコープサイトに関する。本発明はまた正確な目視整合を提供し、視差を防止して射撃精度を向上させるべくライフルスコープに使用する整合装置に関する。
【背景技術】
【０００２】
正確で安定した射撃は視差を防止するためにライフルスコープを利用した中央目視整合を必要とする。視差は標的像をスコープで見ることができる十字線に対して移動させ、精度に影響を及ぼす。現在のライフルスコープは目視的に正確に整合（スコープの光学軸における整合）させるために射撃者の経験に頼っている。もし射撃者が判定を誤れば射撃精度が犠牲になる。
【０００３】
不正確な射撃はカント（銃身軸周囲で銃が垂直面から回転すること）によっても生じる。スコープがゼロエレベーション（すなわち銃身軸に対して平行）に設定されていない限り、カントは射撃を照準点から外れさせる。
【発明の開示】
【発明が解決しようとする課題】
【０００４】
ＷＯ９９/２７４０８は主レチクルと、スコープ内に存在し、主レチクルから軸方向に離れている副レチクルとを有したサイトスコープを解説する。これら２本のレチクルを整合させることで正確な目視整合状態が確認でき、視差の可能性が減少する。しかしながらスコープはいくつかの弱点を内包する。これら２本のレチクルの軸方向間隔は比較的に狭く、小さな非整合状態を見極めることは困難である。それらレチクルは両方とも内蔵されており、シルエット状態で確認できるだけであるため、それら２本のレチクルの区別が困難である。弱光状態であるときには一層に困難である。副レチクルはスコープの視界を部分的に遮り、集中を乱す。さらに現行のスコープの構造では副レチクルは容易に利用できない。スコープはさらにカントの問題に対処していない。
【０００５】
本発明の１特徴によれば、接眼レンズ部、対物レンズ部、レチクルおよびその接眼レンズ部に隣接してスコープの外部に取り付けられた整合装置を含んだライフルスコープが提供される。この整合装置は、使用中に射撃手が見ることができるように接眼レンズ部周囲に配置された１以上のマーキングを有している。この整合装置は、正確な目視整合状態ではそのマーキングがレチクルと整合状態に見え、不正確な目視整合状態ではマーキングがレチクルと非整合状態に見えるように設計されている。
【０００６】
整合装置を含むことで射撃手にとって正確な目視整合状態の確認と、非整合状態の矯正とが非常に容易になった。よって射撃精度は改善される。整合装置は外部に取り付けられているため周囲光で照明されて見易く、レチクルとの区別が容易である。スコープの視界も非妨害状態である。整合装置とレチクルとの大きな軸方向間隔は目視による不正確な整合状態の確認を容易にする。さらに整合装置は単純構造であり、頑丈であって比較的に安価であり、ライフルスコープの価格をさほど押し上げることはない。さらにマーキングをカントの確認のために使用することができる。マーキングは接眼レンズ部の周囲に配置されているため、射撃手の視界の周囲に接近しており、少程度のカントでも容易に認識できる。
【０００７】
有利にはレチクルは十字線を含み、整合装置のマーキングは使用時にそれら十字線と整合できる四分円マーキングを含む。
【０００８】
有利にはそれらマーキングは接眼レンズ部の周囲から内側に延び、スコープの射出瞳と重なり、レチクルとの整合を容易に確認させる。
【０００９】
有利には整合装置は第１マーキングから角度がずれた１以上の別マーキングを有しており、その別マーキングをレチクルと整合させるように回転することができる。有利にはそれらマーキングおよび別マーキングは異なる照明条件で使用するための異なる視認特性を有している。例えばマーキングを明るくしたり暗くしたり、異なる色で彩色したり、反射性としたり、蛍光性としたり、または被照明体としてもよい。
【００１０】
あるいは整合装置を接眼レンズ部の自由端に着脱式に取り付ける。好適には整合装置は、マーキングを有し、接眼レンズ部の自由端に取り付けられているリングを含む。本発明のこの形態は非常に単純構造であり安価ではあるが、非常に高性能である。この整合装置は現存のライフルスコープに容易に後付けすることが可能であるため、最低の追加費用でそれら現存のライフルスコープを改良することができる。
【００１１】
整合装置はスコープが使用されていないときに接眼レンズ部を覆うカバー要素を含むことができる。カバー要素は好適にはヒンジ式である。よって整合装置は接眼レンズ部を保護する副次機能も提供する。
【００１２】
本発明の別な特徴によれば、接眼レンズ部、対物レンズ部およびレチクルを含んだライフルスコープ用の整合装置が提供される。この整合装置は接眼レンズ部に隣接してスコープの外側に取り付けられるように設計されており、使用中の射撃手の視野に入るように接眼レンズ部周囲に配置された１以上のマーキングを有している。この整合装置は、正確な目視整合状態ではマーキングがレチクルと整合状態に見え、不正確な目視整合状態ではマーキングがレチクルと非整合状態に見えるよう設計されている。
【００１３】
有利には整合装置のマーキングは使用中にレチクルの十字線と整合できる四分円マーキングを含んでいる。
【００１４】
有利にはマーキングは使用中にスコープの射出瞳と重なるように内側に延びている。
【００１５】
有利には整合装置は第１マーキングから角度がずれた１以上の別マーキングを有している。この整合装置は使用中に回転することができ、それら別マーキングをレチクルと整合させる。
【００１６】
それらマーキングおよび別マーキングは好適には異なる視認特性を有している。
【００１７】
有利には整合装置は接眼レンズ部の自由端に着脱式に取り付けられるように設計されている。好適にはこの整合装置はマーキングを有し、接眼レンズ部の自由端に取り付けられるように設計されたリングを含んでいる。
【００１８】
有利にはこの整合装置はスコープの非使用時に接眼レンズ部を覆うカバー要素を含んでいる。このカバー要素は好適にはヒンジ式である。
【００１９】
以下において本発明の様々な実施例を添付の図面を利用して例示的に説明する。図１は本発明の第１実施例によるライフルスコープの斜視図である。図２は図１のライフルスコープの側断面図である。図３はライフルスコープの標的像である。図４は標的像上の視差の影響を図示している。図５は本発明の第２実施例によるライフルスコープの視界である。図６は別状態にある第２ライフルスコープの視界である。図７は本発明の第３実施例および第４実施例による２つの整合装置と共に示された従来のライフルスコープの斜視図である。
【００２０】
図１と図２は本発明の第１実施例によるライフルスコープを図示する。このライフルスコープは１端に対物レンズ部４を有し、他端に接眼レンズ部６を有した円筒体２を含む。この実施例では対物レンズ部４は２セットの対物レンズ４ａおよび４ｂを含み、接眼レンズ部６は２セットの接眼レンズ６ａおよび６ｂを含む。対物レンズ部と接眼レンズ部との間でスコープは１セットの組レンズ８を含む。
【００２１】
スコープは射撃手が狙いを定めるために使用する、例えば２本の十字線１１であるレチクル１０を含む。この実施例ではレチクル１０は接眼レンズ部６の焦点面内に位置する。これは狩猟に好適な位置である。あるいはレチクルは対物焦点面１２内に置かれる。これは軍事目的に好適な位置である。スコープは上下用タレット１４と風用タレット１６とを含む。これらタレットはレチクルの垂直位置および水平位置の調整に使用される。
【００２２】
前述の特徴は全て従来技術であるため、これ以上詳細に説明しない。
【００２３】
本ライフルスコープはスコープの照準の正確な軸整合を提供し、視差を防止する整合装置を含んでいる。図１と図２に示す実施例では、整合装置は接眼レンズ部６の端部に装着された環状リング２０を含んでいる。リング２０はその端部面に４つの四分円マーキング２２ａと２２ｂを有している。２つの四分円マーキング２２ａは接眼レンズ部の垂直軸と整合し、別の２つのマーキング２２ｂは接眼レンズ部の水平軸と整合する。それらマーキングは例えば刻印、描加工または印刷等の適切な方法で創出できる。あるいは蛍光性または被照明体のマーキングを弱光状態での使用のために提供することもできる。
【００２４】
図３と図４はスコープの使用状態を図示している。図３は正確な目視整合状態（すなわち照準がスコープの光学軸に位置している）におけるスコープを通した視野を図示している。レチクル１０の十字線は四分円マーキング２２ａと２２ｂと整合している。よってスコープに正確な軸方向目視整合状態を確実に提供し、視差を排除する。レチクル１０の十字線１１は視野の中央に位置し、標的２４と整合し、ライフルの照準が正確に標的と整合していることを示している。
【００２５】
図４は不正確な目視整合状態（すなわち照準がスコープの光学軸から外れている）にあるスコープを通した視野を図示している。レチクル１０の十字線１１は視野の中央から外れたように見え、四分円マーキング２２ａと２２ｂとは整合していない。視差の影響のため、たとえ銃の狙先が変わっていない場合でも十字線１１は標的２４と整合していない。射撃手が十字線を標的上に移動させるように照準を調節しても、不正確な発射となるであろう。不正確な照準は不正確な目視整合がもたらす視差によって生じる。
【００２６】
このように、レチクル１０の十字線１１がリング２０の四分円マーキング２２ａと２２ｂと整合しないことから、目視整合が不正確であることを射撃手が認識することは容易である。十字線の見かけの位置と四分円マーキングとを比較することで、射撃手は自身の頭部を正確な目視整合のために移動することで視差を防止し照準精度を向上させることができる。
【００２７】
本発明によって提供される別の利点は、四分円マーキング２２ａと２２ｂはカント（銃身軸周囲で銃が正確な垂直位置から意図せずに回転すること）を防止する補助となる点である。四分円マーキング２２ａと２２ｂの位置は、例えば水平線または壁等の適切な水平または垂直の基準と比較することができ、必要に応じてカントを排除するよう銃を回転させることができる。同様の効果は十字線を適切な水平または垂直の基準と比較することで従来式スコープでも達成できる。しかしながら射撃手は十字線の中央の目的物にのみ集中する傾向があるためカントには気付きにくい。本発明においては四分円マーキングは非常にはっきりしており、スコープの射出瞳の外側に延びているため、十字線よりもさらに明確な基準を提供し、少程度のカントもはっきりと示すことができる。従って、カントの防止がさらに容易となり、射撃の精度をさらに向上させる。
【００２８】
図５と図６は本発明の第２実施例を図示しており、リング２０は２つの別セットの四分円マーキング２２ａと２２ｂ、並びに２２’ａと２２’ｂを有している。リング２０は図５に示す位置から図６に示す位置まで反時計回りに４５°回転できる。リングが図５に示す位置にあるとき、第１セットの四分円マーキング２２ａと２２ｂによって目視整合を確認し、リングが図６に示す第２位置まで回転すると第２セットの四分円マーキング２２’ａと２２’ｂによって目視整合を確認できる。
【００２９】
２つのセットの四分円マーキング２２ａと２２ｂ、および２２’ａと２２’ｂは異なる視界を有しており、異なる明暗状態で使用するように設計されている。例えば弱光状態での使用のために第１セットの四分円マーキング２２ａと２２ｂを白色で着色することができ、強光状態での使用のために第２セットの四分円マーキング２２’ａと２２’ｂを黒色に着色することができる。別の色も使用することができ、あるいはマーキングのセットの片方または両方を反射性、蛍光性または被照明体とすることもできる。
【００３０】
図７は本発明のさらに別の実施例を２つ示しており、整合装置６０と６０’は、接眼レンズ部６、対物レンズ部４およびレチクル１０を含んだ従来のライフルスコープ６２に再装着するための付属品を含んでいる。
【００３１】
第１整合装置６０は、接眼レンズ部６の端部に、好適には押し込み式に装着できる環状リング６４を含んでいる。リング６４はその端部面に４つの四分円マーキング６６ａと６６ｂを有している。これらマーキングは例えば描加工、塗料または印刷等の適切な方法で創出できる。あるいは蛍光性または被照明体のマーキングを弱光状態での使用のために提供することもできる。本実施例ではマーキング２２ａと２２ｂはリングから内側に延び、接眼レンズ部の射出瞳と少々重なっている。よって、マーキングがレチクルの十字線と正しく整合していることを容易に確認させる。
【００３２】
使用に先立って、２つの四分円マーキング６６ａが接眼レンズ部の垂直軸と整合し、別の２つのマーキング６６ｂが接眼レンズ部の水平軸と整合するようにリング６４を調節する。射撃手は使用中にマーキングを視認することができ、マーキングは、正確な目視整合状態ではレチクルと整合状態に見え、不正確な目視整合状態ではレチクルと不整合状態に見えるように設計されている。
【００３３】
第２整合装置６０’は第１整合装置と殆どの点で類似しており、接眼レンズ部６の端部に、好適には押し込み式に装着できる環状リング６４’を含んでいる。リング６４’はその端部面に４つの四分円マーキング６６ａ’と６６ｂ’を有している。本装置は、ヒンジ７０によってリング６４’に取り付けられている調節式レンズキャップ６８をさらに含んでいる。レンズキャップ６８は図７に示す開位置から、接眼レンズ部６の端部を覆って保護する閉位置（図示せず）にまで回転できる。
【図面の簡単な説明】
【００３４】
図１は本発明の第１実施例によるライフルスコープの斜視図である。
図２は図１のライフルスコープの側断面図である。
図３はライフルスコープの標的像である。
図４は標的像上の視差の影響を図示している。
図５は本発明の第２実施例によるライフルスコープの視界である。
図６は別状態にある第２ライフルスコープの視界である。
図７は本発明の第３実施例および第４実施例による２つの整合装置と共に示された従来のライフルスコープの斜視図である。
【図１】
2009520945.tif 000003
【図２】
2009520945.tif 000004
【図３】
2009520945.tif 000005
【図４】
2009520945.tif 000006
【図５】
2009520945.tif 000007
【図６】
2009520945.tif 000008
【図７】
2009520945.tif 000009
【国際調査報告】
2009520945.tif 000010
2009520945.tif 000011
2009520945.tif 000012